(57)【要約】      （修正有）【課題】机の天板や椅子の座面などの被支持体を支持する脚体の高さ調整を行い易くすることができる落下防止ストッパおよび同落下防止ストッパを備えた什器を提供する。【解決手段】机は、床面から起立するパイプ状の下側支持脚１１２内に天板を支持する上側支持脚１２２が高さ調整具１４０を介して摺動自在に嵌合している。上側支持脚１２２の下端部には、落下防止ストッパ１３０が設けられている。落下防止ストッパ１３０は、樹脂製の円筒体に固定取付部１３１、押圧嵌合部１３４および受け部１３６がそれぞれ形成されている。固定取付部１３１は、上側支持脚１２２の下端部に嵌合する略円筒状に形成されている。押圧嵌合部１３４は、下側支持脚１１２内の内周面を弾性的に押圧する接触嵌合部１３５ｂを有した片持ち梁状の爪体１３５を備えている。また、落下防止ストッパ１３０には、押圧嵌合部１３４の内側に受け部１３６が設けられている。【選択図】図１７
2020089461.tif 000002
【特許請求の範囲】
【請求項１】
設置面上から起立するパイプ状の下側支持脚に対してパイプ状の上側支持脚が摺動自在に嵌合して同上側支持脚上で被支持体を支持する伸縮自在な脚体における前記上側支持脚の落下を防止する落下防止ストッパであって、
互いに嵌合し合う前記上側支持脚および前記下側支持脚のうちの内側に位置する支持脚の端部内に嵌合して取り付けられる固定取付部と、
前記固定取付部の先端部とは反対側に延びて形成されて互いに嵌合し合う前記上側支持脚および前記下側支持脚のうちの外側に位置する支持脚内に挿し込まれて同支持脚内の内周面を押圧した状態で摺動自在に嵌合する押圧嵌合部とを備えることを特徴とする落下防止ストッパ。
【請求項２】
請求項１に記載した落下防止ストッパにおいて、
前記固定取付部は、
円筒状に形成された前記内側に位置する支持脚内に嵌合する円筒状に形成されており、
前記押圧嵌合部は、
円筒状に形成された前記外側に位置する支持脚の内周面の周方向に沿って配置されるとともに前記固定取付部側から片持ち梁状に延びた少なくとも２つの爪体を備えることを特徴とする落下防止ストッパ。
【請求項３】
請求項２に記載した落下防止ストッパにおいて、
前記爪体は、
前記固定取付部側から板状に延びるアーム部と、
前記アーム部の先端部に前記押圧嵌合部の径方向外側に張り出した接触嵌合部とを有し、
前記接触嵌合部は、
前記アーム部の先端部から前記径方向外側に鉤状に張り出した鉤状張出部を有するとともに、この鉤状張出部に対して徐々に張り出し量が縮小する曲面を有して構成されていることを特徴とする落下防止ストッパ。
【請求項４】
請求項２または請求項３に記載した落下防止ストッパにおいて、さらに、
前記固定取付部と前記押圧嵌合部との間の内周部に径方向に架設された中間架設部を備えることを特徴とする落下防止ストッパ。
【請求項５】
請求項４に記載した落下防止ストッパにおいて、さらに、
前記中間架設部に繋がった状態で前記固定取付部の内周部間に架設される固定側架設部を備えることを特徴とする落下防止ストッパ。
【請求項６】
請求項４または請求項５に記載した落下防止ストッパにおいて、さらに、
前記押圧嵌合部の内側に設けられて前記中間架設部から下方に向かって延びて前記押圧嵌合部の下端部よりも突出して形成された受け部を備えることを特徴とする落下防止ストッパ。
【請求項７】
設置面上から起立するパイプ状の下側支持脚と、
前記下側支持脚の上方で支持される被支持体から下垂して前記下側支持脚の外側または内側に摺動自在に嵌合するパイプ状の上側支持脚と、
前記下側支持脚と前記上側支持脚との挿し込み量を調整して前記被支持体の高さを調整する高さ調整具とを備えた什器であって、
前記請求項１ないし前記請求項６のうちのいずれか１つに記載した落下防止ストッパを備えていることを特徴とする什器。
【請求項８】
請求項７に記載した什器において、
前記被支持体は、机における天板であることを特徴とする什器。
【請求項９】
請求項７に記載した什器において、
前記被支持体は、椅子における座面を構成する座板であることを特徴とする什器。
【発明の詳細な説明】
【技術分野】
【０００１】
本発明は、机の天板や椅子の座面などの被支持体を互いに摺動自在に嵌合し合う下側支持脚および上側支持脚によって支持する脚体における上側支持脚の落下を防止する落下防止ストッパおよび同落下防止ストッパを備えた什器に関する。
【背景技術】
【０００２】
従来から、机の天板や椅子の座面などの被支持体を互いに摺動自在に嵌合し合う下側支持脚および上側支持脚によって支持する脚体がある。例えば、下記特許文献１には、座面を支持する上側支持脚としての円柱が床面上から起立する下側支持脚としての円筒内に摺動自在に嵌合する椅子用の脚体における高さ調整機構が開示されている。
【先行技術文献】
【特許文献】
【０００３】
【特許文献１】特開昭５８−８２１５０号公報
【０００４】
しかしながら、上記特許文献１に示された椅子用の脚体においては、座面の高さ調整を行う際に下側支持脚に対して上側支持脚を摺動可能な状態にすると、上側支持脚が自重で自由に落下可能なフリーな状態となるため高さ調整作業が行ない難いという問題がある。
【０００５】
本発明は上記問題に対処するためなされたもので、その目的は、机の天板や椅子の座面などの被支持体を支持する脚体の高さ調整を行い易くすることができる落下防止ストッパおよび同落下防止ストッパを備えた什器を提供することにある。
【発明の概要】
【０００６】
上記目的を達成するため、本発明の特徴は、設置面上から起立するパイプ状の下側支持脚に対してパイプ状の上側支持脚が摺動自在に嵌合して同上側支持脚上で被支持体を支持する伸縮自在な脚体における上側支持脚の落下を防止する落下防止ストッパであって、互いに嵌合し合う上側支持脚および下側支持脚のうちの内側に位置する支持脚の端部内に嵌合して取り付けられる固定取付部と、固定取付部の先端部とは反対側に延びて形成されて互いに嵌合し合う上側支持脚および下側支持脚のうちの外側に位置する支持脚内に挿し込まれて同支持脚内の内周面を押圧した状態で摺動自在に嵌合する押圧嵌合部とを備えることにある。
【０００７】
このように構成した本発明の特徴によれば、落下防止ストッパは、互いに嵌合し合う上側支持脚および下側支持脚のうちの内側に位置する支持脚の端部内に固定取付部を介して取り付けられるとともに上側支持脚および下側支持脚のうちの外側に位置する支持脚の端部内に押圧嵌合部が嵌合して同支持脚内を押圧する。これにより、本発明に係る落下防止ストッパは、被支持体の高さ調整を行う際に下側支持脚に対して上側支持脚を摺動可能な状態にした場合においても押圧嵌合部が嵌合した上側支持脚または下側支持脚の内周面を押圧して摺動抵抗を増大させるため上側支持脚の落下を防止することができ脚体の高さ調整を行い易くすることができる。
【０００８】
また、本発明の他の特徴は、前記落下防止ストッパにおいて、固定取付部は、円筒状に形成された前記内側に位置する支持脚内に嵌合する円筒状に形成されており、押圧嵌合部は、円筒状に形成された前記外側に位置する支持脚の内周面の周方向に沿って配置されるとともに固定取付部側から片持ち梁状に延びた少なくとも２つの爪体を備えることにある。
【０００９】
このように構成した本発明の他の特徴によれば、落下防止ストッパは、押圧嵌合部が円筒状に形成されて外側に位置する支持脚の内周面の周方向に沿って配置されるとともに固定取付部側から片持ち梁状に延びた少なくとも２つの爪体を備えているため、これらの爪体の弾性変形によって支持脚内の内周面を安定的かつ持続的に押圧することができる。
【００１０】
また、本発明の他の特徴は、前記落下防止ストッパにおいて、爪体は、固定取付部側から板状に延びるアーム部と、アーム部の先端部に押圧嵌合部の径方向外側に張り出した接触嵌合部とを有し、接触嵌合部は、アーム部の先端部から径方向外側に鉤状に張り出した鉤状張出部を有するとともに、この鉤状張出部に対して徐々に張り出し量が縮小する曲面を有して構成されていることにある。
【００１１】
このように構成した本発明の他の特徴によれば、落下防止ストッパは、爪体が固定取付部側から板状に延びるアーム部の先端部から径方向外側に鉤状に張り出した鉤状張出部を有するとともに、この鉤状張出部から下方に向かって徐々に張り出し量が縮小する曲面で構成された接触嵌合部を有しているため、上側支持脚または下側支持脚の内部に挿し込み易いとともに接触嵌合部が摩耗した場合においても押圧力の低下を抑えることができる。
【００１２】
また、本発明の他の特徴は、前記落下防止ストッパにおいて、さらに、固定取付部と押圧嵌合部との間の内周部に径方向に架設された中間架設部を備えることにある。
【００１３】
このように構成した本発明の他の特徴によれば、落下防止ストッパは、固定取付部と押圧嵌合部との間の内周部に径方向に架設された中間架設部を備えているため、落下防止ストッパ全体の剛性を向上させることができる。
【００１４】
また、本発明の他の特徴は、前記落下防止ストッパにおいて、さらに、中間架設部に繋がった状態で固定取付部の内周部間に架設される固定側架設部を備えることにある。
【００１５】
このように構成した本発明の他の特徴によれば、落下防止ストッパは、中間架設部に繋がった状態で固定取付部の内周部間に架設される固定側架設部を備えているため、固定取付部の剛性を向上させることができる。
【００１６】
また、本発明の他の特徴は、前記落下防止ストッパにおいて、さらに、押圧嵌合部の内側に設けられて中間架設部から下方に向かって延びて押圧嵌合部の下端部よりも突出して形成された受け部を備えることにある。
【００１７】
このように構成した本発明の他の特徴によれば、落下防止ストッパは、押圧嵌合部の内側に設けられて中間架設部から下方に向かって延びて押圧嵌合部の下端部よりも突出して形成された受け部を備えているため、上側支持脚が下方の摺動限界位置まで変位した場合に押圧嵌合部が下側支持脚内部の構成物に直接衝突して損傷することを防止することができる。また、この場合、落下防止ストッパは、前記固定側架設部を備えることによって上側支持脚が下方の摺動限界位置まで変位して受け部が下側支持脚内部の構成物に直接衝突した場合に中間架設部が破れることを防止することができる。
【００１８】
また、本発明は高さ調整機構の発明として実施できるばかりでなく、この高さ調整機構を備えた什器の発明としても実施できるものである。
【００１９】
具体的には、什器は、設置面上から起立するパイプ状の下側支持脚と、下側支持脚の上方で支持される被支持体から下垂して下側支持脚の外側または内側に摺動自在に嵌合するパイプ状の上側支持脚と、下側支持脚と上側支持脚との挿し込み量を調整して被支持体の高さを調整する高さ調整具とを備えた什器であって、請求項１ないし請求項６のうちのいずれか１つに記載した落下防止ストッパを備えるようにすればよい。これによっても、上記高さ調整機構と同様の作用効果を期待することができる。
【００２０】
この場合、前記什器において、被支持体は、机における天板であるとよい。すなわち、什器は、机として構成することができる。
【００２１】
また、この場合、前記什器において、被支持体は、椅子における座面を構成する座板であるとよい。すなわち、什器は、椅子として構成することができる。
【００２２】
また、什器としては、机や椅子の他に、ホワイトボード、三脚またはマイクスタンドなどで構成することができる。
【図面の簡単な説明】
【００２３】
【図１】本発明の一実施形態に係る落下防止ストッパを備えた机を斜め方向から見た外観構成の概略を示す斜視図である。
【図２】図１に示した机の主要部品の外観構成の概略を示した分解斜視図である。
【図３】図２に示す机に取り付けられる落下防止ストッパを斜め方向から見た外観構成の概略を示す斜視図である。
【図４】（Ａ），（Ｂ）は図３に示す落下防止ストッパの外観構成の概略を示しており、（Ａ）は落下防止ストッパを斜め上方方向から見た斜視図であり、（Ｂ）は落下防止ストッパを（Ａ）の反対方向である斜め下方から見た斜視図である。
【図５】図３に示す落下防止ストッパが下側支持体内にて足体の外周面に突き当たった状態を示す一部拡大断面図である。
【図６】図３に示す落下防止ストッパが下側支持体内にて足体の内周面に突き当たった状態を示す一部拡大斜視図である。
【図７】図２に示す机を構成するストッパプレートを斜め方向から見た外観構成の概略を示す斜視図である。
【図８】（Ａ），（Ｂ）は図２に示す机を構成する中間筒の外観構成の概略を示しており、（Ａ）は中間筒を斜め方向から見た斜視図であり、（Ｂ）は（Ａ）の反対方向から中間筒を見た斜視図である。
【図９】（Ａ），（Ｂ）は図２に示す机を構成する内筒体の外観構成の概略を示しており、（Ａ）は内筒体を斜め方向から見た斜視図であり、（Ｂ）は（Ａ）の反対方向から内筒体を見た斜視図である。
【図１０】図２に示す机を構成する内筒体の斜め上方から見た外観構成の概略を示す斜視図である。
【図１１】（Ａ），（Ｂ）は図２に示す机を構成する外筒体の外観構成の概略を示しており、（Ａ）は外筒体を斜め方向から見た斜視図であり、（Ｂ）は（Ａ）の反対方向から外筒体を見た斜視図である。
【図１２】図２に示す机を構成する外筒体の斜め下方から見た外観構成の概略を示す斜視図である。
【図１３】図１示す高さ調整具の作動の様子を説明するために、高さ調整具における２つの弾性押圧部のうちの上側の弾性押圧部の位置でのフリー状態での断面状態を示す説明図である。
【図１４】図２に示す落下防止ストッパが取り付けられた上側支持脚を高さ調整具が取り付けられた下側支持脚内に挿入する前の状態を示す部分拡大断面斜視図である。
【図１５】図２に示す落下防止ストッパが取り付けられた上側支持脚を高さ調整具が取り付けられた下側支持脚内に挿入する状態を示す部分拡大断面斜視図である。
【図１６】図２に示す落下防止ストッパが取り付けられた上側支持脚を高さ調整具が取り付けられた下側支持脚内の中間筒内に挿入した状態を示す部分拡大断面斜視図である。
【図１７】図２に示す落下防止ストッパが取り付けられた上側支持脚を高さ調整具が取り付けられた下側支持脚内の中間筒貫通した状態を示す部分拡大断面斜視図である。
【図１８】図１示す高さ調整具の作動の様子を説明するために、高さ調整具における２つの弾性押圧部のうちの上側の弾性押圧部の位置での仮止め状態での断面状態を示す説明図である。
【図１９】図１示す高さ調整具の作動の様子を説明するために、高さ調整具における２つの弾性押圧部のうちの上側の弾性押圧部の位置での支持状態での断面状態を示す説明図である。
【発明を実施するための形態】
【００２４】
以下、本発明に係る落下防止ストッパおよびこの落下防止ストッパを備えた什器の一実施形態について図面を参照しながら説明する。図１は、本発明の一実施形態に係る落下防止ストッパ１３０を備えた机１００を斜め方向から見た外観構成の概略を示す斜視図である。また、図２は、図１に示した机１００の主要部品の外観構成の概略を示した分解斜視図である。なお、本明細書において参照する各図は、本発明の理解を容易にするために一部の構成要素を誇張して表わすなど模式的に表していることがあるため、各構成要素間の寸法や比率などは異なっていることがある。この落下防止ストッパ１３０は、小学校や中学校などの教育施設などにおいて児童や生徒が教室で図示しない椅子とともに使用する学習机からなる机１００の天板１２０の高さの調整作業の際に天板１２０の落下を防止して高さ調整作業を行い易くするための部品である。
【００２５】
（机１００の構成）
机１００は、主として、ベース脚１１０、天板１２０および高さ調整具１４０をそれぞれ備えている。ベース脚１１０は、天板１２０を床面から所定の高さ位置に水平状態で支持するための部品であり、鋼製のパイプ材を連結して構成されている。具体的には、ベース脚１１０は、机１００の前後方向に互いに平行に延びる２つのパイプ材からなる足体１１１上にそれぞれ下側支持脚１１２が垂直方向に起立した状態で設けられるとともに、これらの２つの下側支持脚１１２同士が連結棒１１３で互いに連結されて構成されている。また、２つの足体１１１の各両端部には、樹脂製のキャップがそれぞれ嵌め込まれている。
【００２６】
２つの下側支持脚１１２は、それぞれ後述する上側支持脚１２２を高さ方向の複数の位置で支持するための部品であり、鋼製のパイプ材で構成されている。これらの各下側支持脚１１２は、各下端部が凹状に切り欠かれて前記２つの足体１１１の各上面に溶接によって一体的に連結されている。また、これらの各下側支持脚１１２における上端部分には、ストッパ貫通孔１１４、切欠き部１１５および止め孔１１６がそれぞれ形成されている。
【００２７】
ストッパ貫通孔１１４は、後述するストッパプレート１４１に形成された係合突起１４１ａを貫通させるための部分であり、下側支持脚１１２の内部に貫通する正面で方形の孔で構成されている。本実施形態においては、ストッパ貫通孔１１４は、下側支持脚１１２の上端部付近に１つ形成されるとともに、その下方に所定の間隔を介してもう１つ形成されている。すなわち、ストッパ貫通孔１１４は、上下方向に沿って２つ形成されている。
【００２８】
この場合、２つのストッパ貫通孔１１４の間隔は、ストッパプレート１４１に形成された２つの係合突起１４１ａの間隔と同じである。そして、これらの２つのストッパ貫通孔１１４は、互いに平行に延びる２つの下側支持脚１１２の各外周面における互いに対向する面、すなわち下側支持脚１１２の内側の外周面上にそれぞれ形成されている。なお、これらの２つのストッパ貫通孔１１４は、下側支持脚１１２の外側の外周面上に形成してもよく、周方向上における形成位置は本実施形態に限定されるものではない。
【００２９】
切欠き部１１５は、後述する中間筒１４２に形成されるロック突起係合部１４２ｃが嵌合する部分であり、下側支持脚１１２の上端部から凹状に切り欠かれて形成されている。この切欠き１１５部は、下側支持脚１１２の上端部に周方向に沿って所定の間隔を介して３つ形成されている。この場合、３つの切欠き部１１５は、高さ調整具１４０における３つの状態である支持状態、仮止め状態およびフリー状態にそれぞれ対応している。止め孔１１６は、前記中間筒１４２を下側支持脚１１２に固定するための貫通孔であり、下側支持脚１１２の周方向における互いに反対側の位置にそれぞれ形成されている。
【００３０】
天板１２０は、机１００の上面を構成する上面視で方形の部品であり、板状の木材を積層して構成されている。この天板１２０には、１つの底板１２１および２つの上側支持脚１２２がそれぞれ設けられている。底板１２１は、天板１２０の下方に設けられて机１００の使用者の私物を収容する収容部を構成する部品であり、方形状の鋼板の３辺をそれぞれ上方に起立させた形状に形成されている。この底板１２１は、前記起立させた３辺を天板１２０の下面にボルト（図示せず）によって固定されている。
【００３１】
２つの上側支持脚１２２は、２つの下側支持脚１１２にそれぞれ挿し込まれた状態で支持されて天板１２０を支持する部品であり、垂直方向に延びる鋼製のパイプ材で構成されている。この場合、各上側支持脚１２２は、鋼製のパイプ材を水平方向に平面視で略Ｕ字状に曲げたＵ字部材１２５を介して互いに連結された状態で天板１２０に取り付けられて天板１２０を支持している。これらの各上側支持脚１２２には、ストッパ係合部１２３および止め孔１２４がそれぞれ形成されている。
【００３２】
ストッパ係合部１２３は、ストッパプレート１４１の係合突起１４１ａが引っ掛けられる部分であり、上側支持脚１２２の外表面から凹状に窪んで形成されている。本実施形態においては、ストッパ係合部１２３は、上側支持脚１２２の下方から上方に向かって徐々に深さが深くなる正面視で略逆三角形状に形成されている。このストッパ係合部１２３は、互いに平行に延びる２つの上側支持脚１２２における互いに対向する外周面上に上下方向に沿って一直線上に複数形成されている。
【００３３】
この場合、上下方向に互いに隣接するストッパ係合部１２３の間隔は、ストッパプレート１４１に形成された２つの係合突起１４１ａの間隔と同じである。そして、これらの複数のストッパ係合部１２３は、互いに平行に延びる２つの上側支持脚１２２の各外周面における互いに対向する面、すなわち上側支持脚１２２の内側の外周面上にそれぞれ形成されている。本実施形態においては、ストッパ係合部１２３は、上側支持脚１２２の下端部付近から上端部付近まで形成されている。なお、これらのストッパ係合部１２３は、上側支持脚１２２の外側の外周面上に形成してもよく、周方向上における形成位置は本実施形態に限定されるものではない。
【００３４】
止め孔１２４は、落下防止ストッパ１３０を上側支持脚１２２の先端部に固定するための貫通孔であり、上側支持脚１２２の周方向における互いに反対側の位置にそれぞれ形成されている。この場合、各止め孔１２４は、上側支持脚１２２の軸方向に延びる長孔状に形成されている。
【００３５】
落下防止ストッパ１３０は、図３および図４（Ａ），（Ｂ）にそれぞれ示すように、下側支持脚１１２内に挿し込んだ上側支持脚１２２の落下および下側支持脚１１２内からの抜けを防止するための部品であり、樹脂製からなる円筒体に固定取付部１３１、押圧嵌合部１３４および受け部１３６がそれぞれ形成されている。
【００３６】
固定取付部１３１は、上側支持脚１２２の下端部に挿し込まれて固定的に取り付けられる部分であり、上側支持脚１２２の下端部内に嵌合する略円筒形に形成されている。この固定取付部１３１には、周方向における互いに対向する２つの位置に上側引掛け部１３１ａがそれぞれ形成されている。上側引掛け部１３１ａは、上側支持脚１２２に形成された止め孔１２４に弾性的に引っ掛けられる部分であり、上側に延びる板状体の先端部に鉤爪が形成されて構成されている。
【００３７】
また、固定取付部１３１には、互いに対向する２つの上側引掛け部１３１ａ間の径方向に直交する方向の２つの位置に逃げ部１３１ｂがそれぞれ形成されている。逃げ部１３１ｂは、上側支持脚１２２の内周面に突出する前記ストッパ係合部１２３との間で物理的干渉を避ける部分であり凹状に切り欠いて形成されている。なお、このストッパ係合部１２３が互いに対向する２つの位置に形成されている理由は、落下防止ストッパ１３０を左右の上側支持脚１２２にそれぞれ取り付ける際における周方向の向きの自由度を向上させるためである。
【００３８】
この固定取付部１３１の内側には固定側架設部１３２が形成されている。固定側架設部１３２は、固定取付部１３１および中間架設部１３３をそれぞれ補強して剛性を高めるため部品であり、中間架設部１３３の上面から十字状に起立する壁体で構成されている。この場合、固定側架設部１３２における固定取付部１３１の径方向の４つの端部は、固定取付部１３１の内周面にそれぞれ連結されている。
【００３９】
中間架設部１３３は、固定取付部１３１および押圧嵌合部１３４の剛性を向上させるとともに受け部１３６を支持する部分であり、固定取付部１３１と押圧嵌合部１３４との境界部分の内周部に円板状に形成されている。
【００４０】
押圧嵌合部１３４は、下側支持脚１１２内に挿し込まれてこの下側支持脚１１２の内周面を押圧した状態で摺動自在に嵌合する部分であり、固定取付部１３１側から片持ち梁状に延びる６つの爪体１３５を備えて構成されている。この場合、６つの爪体１３５は、下側支持脚１１２の上端部の内周面に沿った均等配置されている。
【００４１】
爪体１３５は、固定取付部１３１側から図示下方に向かって片持ち梁状に延びる板状のアーム部１３５ａと、このアーム部１３５ａの先端部に形成された接触嵌合部１３５ｂを備えて構成されている。接触嵌合部１３５ｂは、アーム部１３５ａの先端部から径方向外側に鉤状に張り出した鉤状張出部１３５ｃを有するとともに、この鉤状張出部１３５ｃから下方に向かって更に径方向外側に張り出した後、徐々に張り出し量が縮小する曲面状に形成されて構成されている。これにより、接触嵌合部１３５ｂは、下側支持脚１１２の内周面に沿う断続的なリング状に形成されている。
【００４２】
鉤状張出部１３５ｃは、中間筒１４２の下端部が突き当たる段状の部分であり、径方向外側に張り出して形成されている。また、接触嵌合部１３５ｂにおける鉤状張出部１３５ｃより下方の部分は、下側支持脚１１２の内周面を弾性的に押圧する部分であり同内周面の内径よりも若干太い外径で形成されている。
【００４３】
受け部１３６は、上側支持脚１２２が下方の摺動限界位置まで変位して足体１１１の上面に衝突した際に押圧嵌合部１３４が損傷することを防止するための部分であり、押圧嵌合部１３４の内側における中間架設部１３３から下方に向かって延びて形成されている。より具体的には、受け部１３６は、落下防止ストッパ１３０の軸線方向にて押圧嵌合部１３４の下端部よりも突出する長さに延びるとともに同軸線に対して放射状に延びる６つの板状体で構成されている。
【００４４】
この場合、各受け部１３６は、前記爪体１３５の内側への弾性変形を許容するために弾性変形した各爪体１３５が接触しない直径（落下防止ストッパ１３０の径方向の長さ）で形成されている。これらの受け部１３６は、２種の第１受け部１３６ａおよび第２受け部１３６ｂによって構成されている。
【００４５】
第１受け部１３６ａは、図５に示すように、上側支持脚１２２が下方の摺動限界位置まで変位した際に足体１１１の上面に対して足体１１１の軸方向に沿って線状に突き当たるように足体１１１の軸方向に沿って突出量が一定（換言すれば先端面が平面状）に形成されている。一方、第２受け部１３６ｂは、本実施形態に係る落下防止ストッパ１３０が下側支持脚１１２と足体１１１とが本実施形態とは異なる接続形式で連結された他の什器にも取り付けることができるように形成されている。
【００４６】
具体的には、第２受け部１３６ｂは、図６に示すように、下側支持脚１１２が足体１１１の内部に挿し込まれた状態で連結された連結構造に対応する形状に形成されている。この場合、第２受け部１３６ｂは、上側支持脚１２２が下方の摺動限界位置まで変位した際に円筒状の足体１１１の内周面に対して線状に突き当たるように先端面が内周面の曲面に沿う凸状の曲面に形成されている。
【００４７】
高さ調整具１４０は、下側支持脚１１２に対して挿入される上側支持脚１２２の高さ方向の位置を固定または解除するための部品であり、主として、ストッパプレート１４１、中間筒１４２、内筒体１４３および外筒体１５０を備えて構成されている。
【００４８】
ストッパプレート１４１は、図７に示すように、下側支持脚１１２内に挿入された上側支持脚１２２の上下方向の変位を阻止するための金属製の部品であり、鋼板を長方形状に延ばした板状体で構成されている。この場合、ストッパプレート１４１は、後述する内筒体１４３および外筒体１５０に密着するように幅方向に円弧状に湾曲して形成されている。このストッパプレート１４１は、内筒体１４３に対向する内側面に係合突起１４１ａが形成されている。
【００４９】
係合突起１４１ａは、上側支持脚１２２のストッパ係合部１２３内に嵌合する部分であり、ストッパプレート１４１を構成する板状部分から方形に突出して形成されている。この係合突起１４１ａは、ストッパプレート１４１の長手方向の両端側にそれぞれ形成されている。この場合、２つの係合突起１４１ａの間隔は、ストッパ係合部１２３の形成間隔に対応している。
【００５０】
中間筒１４２は、図８（Ａ），（Ｂ）にそれぞれ示すように、下側支持脚１１２の上端部分内に挿入された状態で上側支持脚１２２が挿入される部品であり、樹脂材を円筒状に形成して構成されている。この中間筒１４２には、ストッパ貫通孔１４２ａ、引掛け部１４２ｂ、ロック突起係合部１４２ｃおよびフランジ部１４２ｄがそれぞれ形成されている。ストッパ貫通孔１４２ａは、ストッパプレート１４１に形成された係合突起１４１ａを貫通させるための部分であり、中間筒１４２の内部に貫通する正面で方形の孔で構成されている。すなわち、ストッパ貫通孔１４２ａは、中間筒１４２が下側支持脚１１２に取り付けられた状態においてストッパ貫通孔１１４に重なる２つの位置にそれぞれ形成されている。
【００５１】
引掛け部１４２ｂは、下側支持脚１１２に形成された止め孔１１６に弾性的に引っ掛ける部分であり、下側に延びる板状体の先端部に鉤爪が形成されて構成されている。この引掛け部１４２ｂは、中間筒１４２の下端部の外周面の周方向における互いに反対側の位置にそれぞれ形成されている。ロック突起係合部１４２ｃは、内筒体１４３に形成されているロック突起１４６が嵌合する部分であり、中間筒１４２の軸方向に互いに平行に延びる２つの突起で構成されている。このロック突起係合部１４２ｃは、中間筒１４２の外周面の上端部分における前記切欠き部１１５に対応する位置にそれぞれ形成されている。フランジ部１４２ｄは、下側支持脚１１２の上端部に引っ掛かるとともに内筒体１４３の上端部に引っ掛けられて内筒体１４３の回動を円滑させる部分であり、中間筒１４２の上端部にフランジ状に張り出して形成されている。
【００５２】
内筒体１４３は、図９（Ａ），（Ｂ）および図１０にそれぞれ示すように、ストッパプレート１４１を下側支持脚１１２および上側支持脚１２２の各径方向外側に押圧するための部品であり、樹脂製の円筒体で構成されている。この場合、内筒体１４３は、下側支持脚１１２の外周面上を摺動可能な内径に形成されている。この内筒体１４３には、内側押圧部１４４、逃げ孔１４５、ロック突起１４６、外筒当て部１４７および引掛け部１４８がそれぞれ形成されている。
【００５３】
内側押圧部１４４は、ストッパプレート１４１を下側支持脚１１２および上側支持脚１２２の各径方向外側に押圧する部分であり、内筒体１４３の周方向に沿って外周面の張り出し量が連続的に増加する傾斜面で構成されている。より具体的には、内側押圧部１４４は、最小部１４４ａ、最大部１４４ｂおよび最大前部１４４ｃが形成されている。
【００５４】
最小部１４４ａは、最小部１４４ａにストッパプレート１４１の内側面が密着した状態で係合突起１４１ａが上側支持脚１２２のストッパ係合部１２３に嵌合することができる最小の張り出し量で形成された部分である。この最小部１４４ａは、張り出しがない張り出し量が「０」から最大前部１４４ｃに向かって徐々に張り出し量が増加する勾配の傾斜面で構成されている。
【００５５】
最大部１４４ｂは、最大部１４４ｂにストッパプレート１４１の内側面が密着した状態で係合突起１４１ａがストッパ係合部１２３から完全に外れる最大の張り出し量で形成された部分である。この最大部１４４ｂは、一定の張り出し量でかつストッパプレート１４１の幅方向と長さと略同じ長さに形成されている。
【００５６】
最大前部１４４ｃは、最大部１４４ｂに向かって張り出し量が徐々に増加する最小部１４４ａが最大部１４４ｂの直前部分で張り出し量の増加割合がより増加する部分である。すなわち、最大前部１４４ｃは、最大部１４４ｂの直前で最小部１４４ａの勾配よりも大きな急勾配に形成された部分である。この最大前部１４４ｃは、ストッパプレート１４１の幅方向と半分の長さと略同じ長さに形成されている。
【００５７】
この内側押圧部１４４は、内筒体１４３の軸方向における両端部側部分および中央部の３つの位置にそれぞれ平行に形成されている。すなわち、内側押圧部１４４は、ストッパプレート１４１の２つの係合突起１４１ａに対して同２つの係合突起１４１ａの各外側および同２つの係合突起１４１ａの間にそれぞれ位置するように形成されている。
【００５８】
逃げ孔１４５は、ストッパプレート１４１に対して相対的に回動する内筒体１４３の係合突起１４１ａへの物理的干渉を避けるための部分であり、係合突起１４１ａが貫通する貫通孔が内側押圧部１４４に沿った長孔状に形成されている。この逃げ孔１４５は、下側支持脚１１２に取り付けられた際にストッパプレート１４１の２つの係合突起１４１ａに対向する２か所の部分にそれぞれ形成されている。
【００５９】
ロック突起１４６は、前記中間筒１４２のロック突起係合部１４２ｃに弾性的に嵌合して内筒体１４３の回動を阻止するための部分であり、上側に延びる板状体の先端部に径方向内側に凸状に張り出した突起を備えて構成されている。外筒当て部１４７は、外筒体１５０から周方向の回転力が加えられる部分であり、内筒体１４３の外周面から凸状に突出して形成されている。本実施形態においては、外筒当て部１４７は、帯状に延びて形成された前記３つの内側押圧部１４４における各最小部１４４ａに対して離隔した位置、および各最大部１４４ｂの端面にそれぞれ形成されている。
【００６０】
引掛け部１４８は、外筒体１５０に形成された止め孔１５３に弾性的に引っ掛ける部分であり、径方向外側に張り出して下垂する板状体の先端部に鉤爪が形成されて構成されている。この引掛け部１４８は、内筒体１４３の下端部の外周面の周方向における互いに反対側の位置にそれぞれ形成されている。
【００６１】
外筒体１５０は、図１１（Ａ），（Ｂ）および図１２にそれぞれ示すように、内筒体１４３を周方向に回動させるとともにストッパプレート１４１を下側支持脚１１２および上側支持脚１２２の各径方向内側に押圧するための部品であり、樹脂製の円筒体で構成されている。この場合、外筒体１５０は、内筒体１４３の外周面上にストッパプレート１４１を挟んだ状態で嵌合する内径に形成されている。この外筒体１５０には、外側押圧部１５１、内筒押し部１５２および止め孔１５３がそれぞれ形成されているとともにロック片１５４を備えている。
【００６２】
外側押圧部１５１は、ストッパプレート１４１を内側押圧部１４４と挟んで下側支持脚１１２および上側支持脚１２２の各径方向内側に押圧する部分であり、外筒体１５０の周方向に沿って内周部の内径が連続的に減少する傾斜面で構成されている。より具体的には、外側押圧部１５１は、最小部１５１ａ、最大部１５１ｂおよび弾性押圧部１５１ｃが形成されている。
【００６３】
最小部１５１ａは、最小部１４４ａにストッパプレート１４１の外側面が密着した状態で係合突起１４１ａが上側支持脚１２２のストッパ係合部１２３に嵌合することができる最小の内径に形成された部分であり、内側押圧部１４４における最小部１４４ａに対向する位置に形成されている。この最小部１５１ａは、弾性押圧部１５１ｃに向かって徐々に内径が増加する勾配の傾斜面で構成されている。
【００６４】
最大部１５１ｂは、ストッパプレート１４１の係合突起１４１ａがストッパ係合部１２３から完全に外れる位置まで内側押圧部１４４の最大部１４４ｂによるストッパプレート１４１の径方向外側への変位を許容する内径に形成された部分であり、最大部１４４ｂに対向する位置に形成されている。この最大部１５１ｂは、ストッパプレート１４１の幅方向と長さよりも長い長さに形成されている。
【００６５】
弾性押圧部１５１ｃは、内側押圧部１４４の最大前部１４４ｃに位置したストッパプレート１４１の外側面を弾性的に押圧する部分であり、周方向に互いに対向する２つの片持ち梁状の板状片で構成されている。具体的には、弾性押圧部１５１ｃは、最小部１５１ａの最大部１５１ｂ側の先端部および最大部１５１ｂの最小部１５１ａ側の先端部がそれぞれ片持ち梁状の板状片に切り抜かれて径方向内側に張り出して形成されている。
【００６６】
この弾性押圧部１５１ｃは、内筒体１４３に形成された２つの逃げ孔１４５に対向する位置にそれぞれ形成されている。なお、この弾性押圧部１５１ｃは、ストッパプレート１４１を径方向内側に弾性的に押圧できればよいため、形成する位置や数は本実施形態に限定されるものではない。
【００６７】
内筒押し部１５２は、内筒体１４３を周方向のうちの一方の方向または他方の方向にそれぞれ押して内筒体１４３を回動させるための部分であり、外筒体１５０の内周面の周方向における外側押圧部１５１以外の部分の内径が外側押圧部１５１以下の内径に形成されて構成されている。より具体的には、内筒押し部１５２は、外側押圧部１５１の最小部１５１ａおよび最大部１５１ｂの各後端部分がそれぞれ径方向内側に張り出して内筒体１４３の外筒当て部１４７に接触するように形成されている。
【００６８】
止め孔１５３は、内筒体１４３の引掛け部１４８が嵌合することで外筒体１５０と内筒体１４３とを一体的に連結するための貫通孔である。この止め孔１５３は、外筒体１５０の周方向における互いに反対側の位置にそれぞれ形成されている。
【００６９】
ロック片１５４は、内筒体１４３のロック突起１４６を径方向内側に押圧して中間筒１４２のロック突起係合部１４２ｃに嵌合させて内筒体１４３および外筒体１５０の回動変位を規制する部品である。より具体的には、ロック片１５４は、外筒体１５０の上端部にスライド変位可能な状態で嵌合する板状体の内側面の一部に内筒体１４３のロック突起１４６を径方向内側に押圧するロック突起押圧部１５４ａを備えて構成されている。そして、これらの下側支持脚１１２、上側支持脚１２２および高さ調整具１４０によって高さ調整機構が構成されている。
【００７０】
（机１００の組み立て）
ここで、このように構成された机１００の組み立て作業について説明する。作業者は、まず、１つのベース脚１１０、１つの天板１２０、２つの落下防止ストッパ１３０および２つの高さ調整具１４０をそれぞれ用意する。この場合、作業者は、鋼製のパイプ材にプレスカットやピアス抜きなどのプレス加工を用いてストッパ貫通孔１１４、切欠き部１１５および止め孔１１６を成形して下側支持脚１１２を製作した後、この下側支持脚１１２に別工程で製作した足体１１１および連結棒１１３を溶接加工により連結してベース脚１１０を得る。
【００７１】
また、作業者は、鋼製のパイプ材にプレス加工を用いてストッパ係合部１２３および止め孔１２４を成形して上側支持脚１２２を製作した後、この上側支持脚１２２を板金加工により成形した底板１２１およびＵ字部材１２５とともに木製の天板１２０の裏面に取り付けて天板１２０を得る。また、作業者は、射出成形加工を用いて落下防止ストッパ１３０、中間筒１４２、内筒体１４３および外筒体１５０をそれぞれ成形する。この場合、落下防止ストッパ１３０、中間筒１４２、内筒体１４３および外筒体１５０は、左右の下側支持脚１１２および上側支持脚１２２にそれぞれ対応して左右対称な形状に形成される。また、作業者は、鋼板に対して鍛造加工を行うことにより係合突起１４１ａを成形してストッパプレート１４１を得る。なお、本実施形態においては、机１００の左右の下側支持脚１１２と上側支持脚１２２とで高さ調整具１４０を左右対称としたが、左右で同じ形状で構成してもよいことは当然である。
【００７２】
次に、作業者は、ベース脚１１０、天板１２０および高さ調整具１４０を互いに組み付ける。具体的には、作業者は、机１００の設置面となる床面上に載置した左右の下側支持脚１１２の上端部からそれぞれ中間筒１４２を挿入して中間筒１４２を下側支持脚１１２内に取り付けた後、これらの各下側支持脚１１２の外側にそれぞれ内筒体１４３を通す。この場合、作業者は、各内筒体１４３の内側押圧部１４４における最大部１４４ｂが下側支持脚１１２のストッパ貫通孔１１４に軸方向に隣接する向きで配置する。これにより、各内筒体１４３の各ロック突起１４６が中間筒１４２の３つのロック突起係合部１４２ｃの一つに弾性的に嵌合するため、内筒体１４３の周方向および上下方向の各変位が軽く規制された状態となる。
【００７３】
次に、作業者は、ストッパプレート１４１を左右の内筒体１４３の内側押圧部１４４にそれぞれ宛がった状態で左右の外筒体１５０を内筒体１４３にそれぞれ被せる。この場合、作業者は、各外筒体１５０からロック片１５４をそれぞれ取り外しておく。また、作業者は、図１３に示すように、各外筒体１５０の外側押圧部１５１における最大部１５１ｂがストッパプレート１４１に面する向きで外筒体１５０を内筒体１４３に被せる。これにより、ストッパプレート１４１は、係合突起１４１ａが上側支持脚１２２のストッパ係合部１２３に嵌合しない状態となる。
【００７４】
次に、作業者は、左右の各上側支持脚１２２の各下端部に落下防止ストッパ１３０をそれぞれ取り付ける。具体的には、作業者は、図１４に示すように、落下防止ストッパ１３０における固定取付部１３１を上側支持脚１２２の下端部に挿し込んで上側引掛け部１３１ａを止め孔１２４に嵌める。これにより、上側支持脚１２２の下端部には、落下防止ストッパ１３０における固定取付部１３１が嵌合するとともに押圧嵌合部１３４を露出させた状態で取り付けられる。
【００７５】
次に、作業者は、図１５に示すように、落下防止ストッパ１３０がそれぞれ取り付けられた左右の上側支持脚１２２を各下側支持脚１１２内にそれぞれ挿し込む。この場合、落下防止ストッパ１３０は、図１６および図１７にそれぞれ示すように、６つの爪体１３５が中間筒１４２内に挿し込まれることで内側に弾性的に傾倒した状態で中間筒１４２内を進んだ後、接触嵌合部１３５ｂが中間筒１４２の下端部を通過することで中間筒１４２の径方向外側に開いて下側支持脚１１２の内周面に接触する。この場合、接触嵌合部１３５ｂは、下側支持脚１１２の内径よりも大きな外径に形成されているため、下側支持脚１１２の内周面を弾性的に押圧する。これにより、机１００は、天板１２０が上下動自在なフリー状態で組み付けられる。
【００７６】
次に、作業者は、天板１２０を上下方向のストロークにおける下限位置まで下げる。この場合、作業者は、落下防止ストッパ１３０の接触嵌合部１３５ｂと下側支持脚１１２の内周面との摺動抵抗に抗しながら上側支持脚１２２を下側支持脚１１２内に挿し込んでいく。そして、作業者は、落下防止ストッパ１３０の受け部１３６の第１受け部１３６ａが足体１１１の上面に突き当たることで上側支持脚１２２が下方の摺動限界位置まで変位したことを把握することができる。この場合、落下防止ストッパ１３０は、受け部１３６が足体１１１の上面に突き当たることで押圧嵌合部１３４が足体１１１の上面に突き当たって損傷を受けることを防止することができるとともに、固定側架設部１３２によって中間架設部１３３が受け部１３６に押されて破損することが防止される（図５参照）。
【００７７】
次に、作業者は、図１８に示すように、左右の各外筒体１５０を手動により回動（図１３における矢印Ａ方向）させて外側押圧部１５１の弾性押圧部１５１ｃをストッパプレート１４１に面する位置にそれぞれ位置決めする。この場合、内筒体１４３は、外筒体１５０の内筒押し部１５２が内筒体１４３の外筒当て部１４７を押すことで外筒体１５０と一体的に回動する。また、ストッパプレート１４１は、外筒体１５０および内筒体１４３が回動することで、外側押圧部１５１の内径および内側押圧部１４４の張り出し量がそれぞれ減少するため径方向内側に変位する。また、作業者は、外筒体１５０を回動操作時にストッパプレート１４１が内側押圧部１４４の最大前部１４４ｃを通過することで操作感が急に軽くなるためストッパプレート１４１が弾性押圧部１５１ｃに位置したことを認識することができる。
【００７８】
また、この場合、高さ調整具１４０は、外筒体１５０の回動によって内筒体１４３が回動することで支持状態に対応するロック突起係合部１４２ｃからロック突起１４６が弾性的に外れるとともに、その後、仮止め状態に対応するロック突起係合部１４２ｃに弾性的に嵌合するため、その都度「カチッ」という音が生じるとともに作業者に手ごたえを与える。これにより、作業者は、外筒体１５０が仮止め状態の位置まで回動したことを容易に認識することができる。これらにより、左右の各ストッパプレート１４１は、弾性押圧部１５１ｃによって径方向内側に弾性的に押圧されて係合突起１４１ａの先端部分が中間筒１４２の内側に弾性的に露出した仮止め状態となる。
【００７９】
次に、作業者は、天板１２０を上昇させて左右の各ストッパ係合部１２３に係合突起１４１ａを軽く嵌合させる。この場合、係合突起１４１ａは、弾性押圧部１５１ｃによって弾性的に押圧されているため、上側支持脚１２２が上昇することでストッパ係合部１２３が上方に変位した場合であっても径方向外側に変位した後に径方向内側に変位してストッパ係合部１２３を含む上側支持脚１２２の外周面の凹凸に追従する。一方、係合突起１４１ａは、ストッパ係合部１２３の上端の水平面に引っ掛かっているため、下方に対する力では径方向外側には変位しない。すなわち、天板１２０は、各係合突起１４１ａが逆三角形状のストッパ係合部１２３に弾性的に嵌合しているため、上昇可能な状態であっても手を放すことで直ちに落下することはない。
【００８０】
そして、作業者は、図１９に示すように、係合突起１４１ａがストッパ係合部１２３に軽く嵌合する位置で各外筒体１５０を更に回動操作（図１８における矢印Ｂ方向）して外側押圧部１５１の最小部１５１ａをストッパプレート１４１に面する位置にそれぞれ位置決めする。この場合、ストッパプレート１４１は、外筒体１５０および内筒体１４３が回動することで、外側押圧部１５１の内径および内側押圧部１４４の張り出し量がそれぞれ更に減少するため径方向内側に更に変位する。これにより、左右の各ストッパプレート１４１は、最小部１５１ａによって径方向内側に強制的に押圧されて係合突起１４１ａがストッパ係合部１２３に完全に嵌合する。
【００８１】
また、この場合においても、高さ調整具１４０は、外筒体１５０の回動によって内筒体１４３が回動することで仮止め状態に対応するロック突起係合部１４２ｃからロック突起１４６が弾性的に外れるとともに、その後、支持状態に対応するロック突起係合部１４２ｃに弾性的に嵌合するため、その都度「カチッ」という音が生じるとともに作業者に手ごたえを与える。これにより、作業者は、外筒体１５０が支持状態の位置まで回動したことを容易に認識することができる。これらにより、上側支持脚１２２は、上下方向の変位が係合突起１４１ａの嵌合によって規制されるため、天板１２０の高さが固定される支持状態となる。
【００８２】
そして、作業者は、２つのロック片１５４を各外筒体１５０に挿し込む。これにより、高さ調整具１４０は、ロック突起押圧部１５４ａが内筒体１４３のロック突起１４６を径方向内側に強く押圧して中間筒１４２のロック突起係合部１４２ｃに嵌合させるため、外筒体１５０および内筒体１４３の周方向への回動が規制された状態となる。これにより、作業者は、机１００を組み立てることができる。
【００８３】
（落下防止ストッパ１３０の作動）
次に、このように構成した落下防止ストッパ１３０の作動について机１００の高さを変更する高さ調整作業によって説明する。この高さ調整作業においては、前記組み立て作業説明における天板１２０の高さが固定された支持状態（図１９参照）から天板１２０の高さを調整する作業について説明する。
【００８４】
天板１２０の高さ調整を行う作業者は、まず、左右の外筒体１５０の各ロック片１５４を上方にスライドさせてロック突起押圧部１５４ａによるロック突起１４６の押圧状態を解除する。これにより、高さ調整具１４０は、ロック突起１４６が中間筒１４２のロック突起係合部１４２ｃに弾性的に嵌合した状態で回動可能な状態となる。
【００８５】
次に、作業者は、天板１２０の高さを上昇させたい場合には、図１８に示すように、左右の外筒体１５０を回動操作（図１９における矢印Ｃ方向）して外側押圧部１５１の弾性押圧部１５１ｃをストッパプレート１４１に面する位置にそれぞれ位置決めする。この場合、ストッパプレート１４１は、外筒体１５０および内筒体１４３が回動するため外側押圧部１５１の内径および内側押圧部１４４の張り出し量がそれぞれ増加することで径方向外側に変位する。また、作業者は、外筒体１５０を回動操作時にストッパプレート１４１が内側押圧部１４４の最大前部１４４ｃに当たることでストッパプレート１４１が弾性押圧部１５１ｃに位置したことを認識することもできる。
【００８６】
また、高さ調整具１４０は、外筒体１５０の回動によって内筒体１４３が回動することで支持状態に対応するロック突起係合部１４２ｃからロック突起１４６が弾性的に外れるとともに、その後、仮止め状態に対応するロック突起係合部１４２ｃに弾性的に嵌合するため、その都度「カチッ」という音が生じるとともに作業者に手ごたえを与える。これらにより、作業者は、外筒体１５０が仮止め状態の位置まで回動したことを容易に認識することができる。すなわち、高さ調整具１４０は、左右の各ストッパ係合部１２３に係合突起１４１ａを弾性的に軽く嵌合した仮止め状態となる。
【００８７】
したがって、作業者は、天板１２０を上昇させることにより左右の係合突起１４１ａが嵌合するストッパ係合部１２３の位置を変化させて天板１２０の高さ位置を上昇方向において自由に選択することができる。この場合、作業者は、落下防止ストッパ１３０の接触嵌合部１３５ｂと下側支持脚１１２の内周面との摺動抵抗に抗しながら上側支持脚１２２を下側支持脚１１２内にて上昇させる。すなわち、この天板１２０が、本発明における被支持体に相当する。この仮止め状態においては、前記したように、天板１２０は、各係合突起１４１ａが逆三角形状のストッパ係合部１２３に弾性的に嵌合しているため、上昇可能な状態であっても手を放すことで直ちに落下することはない。
【００８８】
また、この仮止め状態において作業者は、天板１２０を上下方向のストロークにおける上側の摺動限界位置まで変位させた場合には、落下防止ストッパ１３０における鉤状張出部１３５ｃが中間筒１４２の下端部に引っ掛かる。これにより、落下防止ストッパ１３０は、天板１２０を上昇させた際に上側支持脚１２２が下側支持脚１１２から抜けることを防止することができる（図１７参照）。
【００８９】
そして、作業者は、図１９に示すように、天板１２０の高さ位置を希望の高さ位置とする係合突起１４１ａのストッパ係合部１２３への嵌合位置を特定した場合には、左右の外筒体１５０を先程とは反対方向に回動操作（図１８における矢印Ｂ方向）して外側押圧部１５１の最小部１５１ａをストッパプレート１４１に面する位置にそれぞれ位置決めする。この場合においても、ストッパプレート１４１は、外筒体１５０および内筒体１４３が回動することで、外側押圧部１５１の内径および内側押圧部１４４の張り出し量がそれぞれ減少することで径方向内側に案内される。これにより、左右の各ストッパプレート１４１は、最小部１５１ａによって径方向内側に強制的に押圧されて係合突起１４１ａがストッパ係合部１２３に完全に嵌合する。
【００９０】
また、この場合においても、高さ調整具１４０は、外筒体１５０の回動によって内筒体１４３が回動することで仮止め状態に対応するロック突起係合部１４２ｃからロック突起１４６が弾性的に外れるとともに、その後、支持状態に対応するロック突起係合部１４２ｃに弾性的に嵌合するため、その都度「カチッ」という音が生じるとともに作業者に手ごたえを与える。これにより、作業者は、外筒体１５０が支持状態の位置まで回動したことを容易に認識することができる。これらにより、上側支持脚１２２は、上下方向の変位が係合突起１４１ａの嵌合によって規制されるため、天板１２０の高さが固定される支持状態となる。
【００９１】
そして、作業者は、左右のロック片１５４を各外筒体１５０内に再び深く挿し込む。これにより、高さ調整具１４０は、ロック突起押圧部１５４ａが内筒体１４３のロック突起１４６を径方向内側に強く押圧して中間筒１４２のロック突起係合部１４２ｃに嵌合させるため、外筒体１５０および内筒体１４３の周方向への回動が規制された状態となる。この状態で机１００は、机としての使用に供される。
【００９２】
一方、作業者は、天板１２０の高さを下げたい場合には、天板１２０の高さを一旦現在の高さ以下の高さに位置決めする。具体的には、作業者は、図１３に示すように、外筒体１５０を仮止め状態の位置から更に回動操作（図１８における矢印Ｄ方向）することにより外側押圧部１５１の最大部１５１ｂをストッパプレート１４１に面する位置、すなわち、内側押圧部１４４の最大部１４４ｂをストッパプレート１４１に面する位置に位置決めする。この場合、ストッパプレート１４１は、外筒体１５０および内筒体１４３が回動することで、外側押圧部１５１の内径および内側押圧部１４４の張り出し量がそれぞれ増加するため径方向外側に案内される。
【００９３】
この場合、高さ調整具１４０は、外筒体１５０の回動によって内筒体１４３が回動することで仮止め状態に対応するロック突起係合部１４２ｃからロック突起１４６が弾性的に外れるとともに、その後、フリー状態に対応するロック突起係合部１４２ｃに弾性的に嵌合するため、その都度「カチッ」という音が生じるとともに作業者に手ごたえを与える。これらにより、作業者は、外筒体１５０がフリー状態の位置まで回動したことを容易に認識することができる。すなわち、高さ調整具１４０は、左右の各ストッパ係合部１２３から係合突起１４１ａが完全に離隔したフリー状態となる。
【００９４】
この場合、上側支持脚１２２は、落下防止ストッパ１３０における６つの接触嵌合部１３５ｂが下側支持脚１１２の内周面を押圧しているため、上側支持脚１２２自身の重量および天板１２０の重量によって下方に下側支持脚１１２内を落下することはない。したがって、作業者は、落下防止ストッパ１３０の接触嵌合部１３５ｂと下側支持脚１１２の内周面との摺動抵抗に抗しながら上側支持脚１２２を下側支持脚１１２内に下降させて天板１２０を現在の高さ以下の高さ（例えば、下限位置）まで下げた後、再び左右の外筒体１５０を反対方向に回動操作（図１３における矢印Ａ方向）して外側押圧部１５１の弾性押圧部１５１ｃをストッパプレート１４１に面する位置にそれぞれ位置決めして仮止め状態とする。
【００９５】
これにより、作業者は、前記と同様にして、天板１２０を上昇させることにより左右の係合突起１４１ａが嵌合するストッパ係合部１２３の位置を変化させて天板１２０の高さ位置を上昇方向において自由に選択することができる。そして、作業者は、天板１２０の高さ位置を希望の高さ位置とする係合突起１４１ａのストッパ係合部１２３への嵌合位置を特定した場合には、前記したように、左右の外筒体１５０を反対方向に回動操作（図１８における矢印Ｄ方向）して外側押圧部１５１の最小部１５１ａをストッパプレート１４１に面する位置にそれぞれ位置決めすることで天板１２０を再び支持状態とすることができる（図１９参照）。
【００９６】
上記作動説明からも理解できるように、上記実施形態によれば、落下防止ストッパ１３０は、互いに嵌合し合う上側支持脚１２２および下側支持脚１１２のうちの内側に位置する上側支持脚１２２の端部内に固定取付部１３１を介して取り付けられるとともに上側支持脚１２２および下側支持脚１１２のうちの外側に位置する下側支持脚１１２の端部内に押圧嵌合部１３４が嵌合して同下側支持脚１１２内を押圧する。これにより、本発明に係る落下防止ストッパ１３０は、被支持体である天板１２０の高さ調整を行う際に下側支持脚１１２に対して上側支持脚１２２を摺動可能な状態にした場合においても押圧嵌合部１３４が嵌合した下側支持脚１１２の内周面を押圧して摺動抵抗を増大させるため上側支持脚１２２の落下を防止することができ脚体の高さ調整を行い易くすることができる。
【００９７】
さらに、本発明の実施にあたっては、上記実施形態に限定されるものではなく、本発明の目的を逸脱しない限りにおいて種々の変更が可能である。
【００９８】
例えば、上記実施形態においては、落下防止ストッパ１３０は、固定取付部１３１に２つの上側引掛け部１３１ａを設けて構成した。しかし、固定取付部１３１は、１つまたは３つ以上の上側引掛け部１３１ａを有して構成することもできる。また、固定取付部１３１は、上側引掛け部１３１ａを省略して構成することもできる。この場合、固定取付部１３１は、上側支持脚１２２に圧入する円筒状に形成することができる。
【００９９】
また、上記実施形態においては、落下防止ストッパ１３０は、固定取付部１３１の内側に固定側架設部１３２を設けて構成した。しかし、落下防止ストッパ１３０は、固定取付部１３１の内側の固定側架設部１３２を省略して構成することもできる。
【０１００】
また、上記実施形態においては、落下防止ストッパ１３０は、押圧嵌合部１３４を６つの爪体１３５で構成した。しかし、押圧嵌合部１３４は、爪体１３５の断面形状が１つの円筒状に形成された１つの爪体１３５で構成してもよいし、２つないし５つまたは７つ以上の爪体１３５で構成することもできる。また、押圧嵌合部１３４は、下側支持脚１１２に弾性変形した状態で摺動する単純な円筒形に形成することもできる。したがって、この場合、押圧嵌合部１３４は、鉤状張出部１３５ｃが省略された円筒状に形成されるため、上側支持脚１２２は下側支持脚１１２から容易に抜くことができる。
【０１０１】
また、上記実施形態においては、落下防止ストッパ１３０は、押圧嵌合部１３４の内側に受け部１３６を設けて構成した。しかし、落下防止ストッパ１３０は、押圧嵌合部１３４の内側の受け部１３６を省略して構成することもできる。また、受け部１３６は、第１受け部１３６ａと第２受け部１３６ｂとで構成した。しかし、受け部１３６は、第１受け部１３６ａまたは第２受け部１３６ｂで構成することもできる。また、受け部１３６は、板状のほかに、円柱状や角柱状などの柱状または円筒状や角筒状などの筒状に形成することもできる。
【０１０２】
また、上記実施形態においては、落下防止ストッパ１３０は、円板状の中間架設部１３３を備えて構成した。しかし、落下防止ストッパ１３０は、円板状の中間架設部１３３を省略して構成することもできる。また、中間架設部１３３は、円板状のほかに落下防止ストッパ１３０の径方向に延びる棒状または板状などの梁状に形成することもできる。
【０１０３】
また、上記実施形態においては、落下防止ストッパ１３０は、下側支持脚１１２および上側支持脚１２２の円筒状のパイプ形状に対応して円筒状に形成した。しかし、落下防止ストッパ１３０は、下側支持脚１１２および上側支持脚１２２の断面形状に応じた形状に形成されるものである。したがって、落下防止ストッパ１３０は、下側支持脚１１２および上側支持脚１２２が角型のパイプ形状に形成されている場合には、角型の円筒状に形成することができる。
【０１０４】
また、上記実施形態においては、落下防止ストッパ１３０は、上側支持脚１２２に固定的に取り付けるとともに下側支持脚１１２に摺動材に嵌合するように構成した。しかし、落下防止ストッパ１３０は、互いに嵌合し合う上側支持脚１２２および下側支持脚１１２のうちの内側に位置する支持脚の端部内に嵌合して取り付けられるとともに外側に位置する支持脚内に挿し込まれて同支持脚内の内周面を押圧した状態で摺動自在に嵌合するようにすればよい。したがって、落下防止ストッパ１３０は、下側支持脚１１２が上側支持脚１２２内に嵌合する場合には、下側支持脚１１２に固定取付部１３１を固定的に取り付けるとともに上側支持脚１２２内に押圧嵌合部１３４が摺動材に嵌合するように構成することができる。
【０１０５】
また、上記実施形態においては、落下防止ストッパ１３０は、高さ調整具１４０を備えた机１００に適用した。しかし、落下防止ストッパ１３０は、下側支持脚１１２と上側支持脚１２２とが互いに摺動自在に嵌合して高さ方向の長さが伸縮自在に調整可能な脚体に広く適用することができる。すなわち、落下防止ストッパ１３０は、高さ調整具１４０とは異なる構成の高さ調整具によって高さ方向の長さが伸縮自在に調整可能な下側支持脚１１２と上側支持脚１２２とで構成された脚体に適用することができる。
【０１０６】
また、上記実施形態においては、机１００は、小学校や中学校などの教育施設などにおいて使用する学習机をとしたが、学習机以外の机、例えば、教卓、家庭用学習机、事務机または食卓としても実施可能である。
【０１０７】
また、上記実施形態においては、落下防止ストッパ１３０を机１００に適用した。すなわち、天板１２０が本発明における被支持体に相当し、机１００が本発明における什器に相当する。しかしながら、落下防止ストッパ１３０は、机１００以外の家具や道具などからなる什器に広く適用することができる。ここで、什器としては、例えば、椅子、ホワイトボード、三脚（３つの脚を持つ台）またはマイクスタンドがある。この場合、什器を椅子とした場合には被支持体は椅子の座面を構成する座板であり、什器をホワイトボードとした場合には被支持体は白板であり、什器を三脚とした場合には被支持体は３つの脚に支持される台であり、什器をマイクスタンドとした場合には被支持体はマイクを着脱自在に保持する保持具である。すなわち、落下防止ストッパ１３０は、２つのパイプ材が垂直方向に互いに摺動自在に嵌合し合って任意の高さ位置で固定できる什器に広く適用できる。この場合、２つの一対のパイプ材、すなわち、下側支持脚１１２および上側支持脚１２２は、上記実施形態のように２組であってもよいが、マイクスタンドのように１組でもよい。
【符号の説明】
【０１０８】
１００…机、
１１０…ベース脚、１１１…足体、１１２…下側支持脚、１１３…連結棒、１１４…ストッパ貫通孔、１１５…切欠き部、１１６…止め孔、
１２０…天板、１２１…底板、１２２…上側支持脚、１２３…ストッパ係合部、１２４…止め孔、１２５…Ｕ字部材、
１３０…落下防止ストッパ、１３１…固定取付部、１３１ａ…上側引掛け部、１３１ｂ…逃げ部、１３２…固定側架設部、１３３…中間架設部、１３４…押圧嵌合部、１３５…爪体、１３５ａ…アーム部、１３５ｂ…接触嵌合部、１３５ｃ…鉤状張出部、１３６…受け部、１３６ａ…第１受け部、１３６ｂ…第２受け部、
１４０…高さ調整具、１４１…ストッパプレート、１４１ａ…係合突起、１４２…中間筒、１４２ａ…ストッパ貫通孔、１４２ｂ…引掛け部、１４２ｃ…ロック突起係合部、１４２ｄ…フランジ部、１４３…内筒体、１４４…内側押圧部、１４４ａ…最小部、１４４ｂ…最大部、１４４ｃ…最大前部、１４５…逃げ孔、１４６…ロック突起、１４７…外筒当て部、１４８…引掛け部、
１５０…外筒体、１５１…外側押圧部、１５１ａ…最小部、１５１ｂ…最大部、１５１ｃ…弾性押圧部、１５２…内筒押し部、１５３…止め孔、１５４…ロック片、１５４ａ…ロック突起押圧部。
【図１】
2020089461.tif 000003
【図２】
2020089461.tif 000004
【図３】
2020089461.tif 000005
【図４】
2020089461.tif 000006
【図５】
2020089461.tif 000007
【図６】
2020089461.tif 000008
【図７】
2020089461.tif 000009
【図８】
2020089461.tif 000010
【図９】
2020089461.tif 000011
【図１０】
2020089461.tif 000012
【図１１】
2020089461.tif 000013
【図１２】
2020089461.tif 000014
【図１３】
2020089461.tif 000015
【図１４】
2020089461.tif 000016
【図１５】
2020089461.tif 000017
【図１６】
2020089461.tif 000018
【図１７】
2020089461.tif 000019
【図１８】
2020089461.tif 000020
【図１９】
2020089461.tif 000021